(57)【特許請求の範囲】
【請求項１】
第１基板と、
前記第１基板に対向して配置される第２基板と、
前記第１基板と前記第２基板との間に挟持される液晶層と、
前記第１基板上の前記液晶層側に設けられ、第１方向に配置され、第２方向に延伸し、前記液晶層に電圧を印加する複数の第１電極と、
前記第１基板と前記第２基板との間で、前記第１基板から前記第２基板に向かう第３方向から観察したときに前記第１電極と重なる位置に設けられ、前記第３方向から観察したときの面積が前記第１電極より小さく、透過率が前記第１電極より低い遮光部と、を備え、
前記遮光部の前記第１方向の中心位置を表す遮光中心と、前記第１電極の前記第１方向の中心位置を表す電極中心とが異なる、
光学装置。
【請求項２】
前記遮光中心は、前記第１方向と前記第１方向の反対方向とのうち、前記液晶層内の液晶分子のプレチルト方向に近い方向に、前記電極中心からずれている、
請求項１に記載の光学装置。
【請求項３】
前記遮光部の前記第１方向の幅は、前記第１電極の前記第１方向の幅より小さい、
請求項１に記載の光学装置。
【請求項４】
前記透過率が相互に異なる複数の前記遮光部が設けられる、
請求項１に記載の光学装置。
【請求項５】
前記透過率が低い前記遮光部ほど、印加する電圧がより大きい前記第１電極に対して、前記第３方向から観察したときに重なる位置に設けられる、
請求項４に記載の光学装置。
【請求項６】
前記遮光部は、前記透過率が連続的または段階的に変化するように形成されている、
請求項１に記載の光学装置。
【請求項７】
複数のドット状の前記遮光部が設けられる、
請求項１に記載の光学装置。
【請求項８】
前記透過率が相互に異なる複数のドット形状の前記遮光部が設けられる、
請求項１に記載の光学装置。
【請求項９】
前記遮光部は、複数の前記第１電極のうち最大電圧を印加する前記第１電極に対して、前記第３方向から観察したときに重なる位置に設けられる、
請求項１に記載の光学装置。
【請求項１０】
前記遮光部は、前記第２基板より前記第１基板に近い位置、および、前記第１基板より前記第２基板に近い位置の少なくとも一方に設けられる、
請求項１に記載の光学装置。
【請求項１１】
前記遮光部は、前記第１電極と前記第２基板とに接する、
請求項１に記載の光学装置。
【請求項１２】
請求項１〜１１のいずれかに記載の光学装置と、
前記光学装置の背面に設けられて画像を表示する表示部と、
を備える画像表示装置。 
【発明の詳細な説明】
【技術分野】
【０００１】
本発明の実施形態は、光学装置および画像表示装置に関する。
【背景技術】
【０００２】
棒状に形成した電極を用いる液晶ＧＲＩＮ（gradient  index）レンズは、レンズとしての位相差分布を実現するための電圧を電極（レンズ端電極）に印加すると配向乱れ（ディスクリネーション）が生じ易い。ディスクリネーションは、迷光を生じさせ、クロストークが増加する。このため、迷光を低減させる手段が必要である。そこで、クロストークを低減させるため、レンズ電極の下側にレンズ電極幅よりも広い遮光部を設ける技術が提案されている。
【先行技術文献】
【特許文献】
【０００３】
【特許文献１】特許第３９４０７２５号公報
【特許文献２】米国特許出願公開第２００９／００１５７３９号明細書
【発明の概要】
【発明が解決しようとする課題】
【０００４】
しかしながら、従来技術では、レンズ電極幅よりも広い遮光部により必要以上に遮光されるため、輝度が低下するという問題があった。
【課題を解決するための手段】
【０００５】
実施形態の光学装置は、第１基板と、第２基板と、液晶層と、第１電極と、遮光部と、を備える。第２基板は、第１基板に対向して配置される。液晶層は、第１基板と第２基板との間に挟持される。第１電極は、第１基板上の液晶層側に設けられ、第１方向に配置され、第２方向に延伸し、液晶層に電圧を印加する。遮光部は、第１基板と第２基板との間で、第１基板から第２基板に向かう第３方向から観察したときに第１電極と重なる位置に設けられ、第３方向から観察したときの面積が第１電極より小さく、透過率が第１電極より低い。
【図面の簡単な説明】
【０００６】
【図１】第１の実施形態の画像表示装置のブロック図。
【図２】第１の実施形態の光学素子の断面図。
【図３】第１の実施形態の第１電極の配置例を示す図。
【図４】ディスクリネーションの概念図。
【図５】ディスクリネーションの概念図。
【図６】液晶分子のプレチルト方向を説明する図。
【図７】第１電極と遮光部との位置関係を例示する図。
【図８】変形例１の第１電極の配置例を示す図。
【図９】変形例２の第１電極の配置例を示す図。
【図１０】変形例３の第１電極の配置例を示す図。
【図１１】第２の実施形態の遮光部の構成図。
【図１２】第３の実施形態の遮光部の構成図。
【図１３】変形例４の実施形態の遮光部の構成図。
【図１４】変形例５の実施形態の遮光部の構成図。
【図１５】変形例６の実施形態の遮光部の構成図。
【図１６】第４の実施形態の遮光部の構成図。
【図１７】第５の実施形態の遮光部の構成図。
【発明を実施するための形態】
【０００７】
以下に添付図面を参照して、この発明にかかる光学装置および画像表示装置の好適な実施形態を詳細に説明する。
【０００８】
（第１の実施形態）
上記のように、従来の方法では、広い遮光部により必要以上に遮光されるため、輝度が低下する問題があった。また、レンズ電極に電圧を印加しない２Ｄ表示モードであっても遮光部の影響は残留している。従来の方法のように遮光部が大きいと、バリア式３Ｄのようなパララックスバリア効果が生じて光線が分離する。すなわち、２Ｄ表示モードであっても３Ｄの特性が残留する。また、バリア効果が強いとモアレが生じるため２Ｄ画質が低下する。このように、従来の方法では２Ｄ表示であっても色分離特性が残留し、２Ｄ画質が劣化するという問題があった。
【０００９】
第１の実施形態にかかる光学装置および画像表示装置は、液晶ＧＲＩＮレンズのレンズ電極の端部にレンズ電極の面積以下の面積をもつ遮光部（レンズ端電極より透過率が低い領域）を設ける。後述するように、ディスクリネーションは、高い電圧が印加されるレンズ電極のエッジ付近に生じている。このため、この部分に相当する最小限の面積の遮光部を設けることで、輝度の低下を抑止する。
【００１０】
図１は、本実施形態の画像表示装置１００の構成例を示すブロック図である。画像表示装置１００は、立体画像（３次元画像）を表示可能な装置である。また、画像表示装置１００は、平面画像（２次元画像）も表示可能であり、３次元画像の表示と２次元画像の表示とを切り替えることもできる。
【００１１】
図１に示すように、画像表示装置１００は、光学素子１０と、表示部２０と、電圧制御部３０と、表示制御部４０とを備える。視聴者Ｐは、光学素子１０を介して表示部２０を観察することで、表示部２０に表示される立体画像等を認識することができる。ここでは、図１の点線で囲まれた部分（光学素子１０および電圧制御部３０）が、光学装置に対応する。
【００１２】
光学素子１０は、印加される電圧に応じて屈折率分布が変化する。表示部２０から光学素子１０へ入射する光線は、光学素子１０の屈折率分布に応じた方向へ向かって出射する。本実施形態では、光学素子１０が、液晶ＧＲＩＮ（gradient  index）レンズアレイである場合について例示するが、これに限られるものではない。本実施形態の光学素子１０の詳細な構成については後述するが、本実施形態の光学素子１０は、印加される電圧に応じて屈折率分布が変化する液晶層と、液晶層に電圧を印加することができる複数の電極（レンズ電極）とを少なくとも備えている。
【００１３】
表示部２０は、光学素子１０の背面に設けられ、画像を表示する。例えば表示部２０は、立体画像の表示に用いられる視差画像を表示する。表示部２０は、例えば、ＲＧＢ各色のサブピクセルを、ＲＧＢを１画素としてマトリクス状に配置した公知の構成であってよい。表示制御部４０の制御の下、表示部２０の各画素には、表示制御部４０から供給される視差画像が割り当てられる。各画素の出射光は、当該画素に対応して形成される液晶ＧＲＩＮレンズの屈折率分布に応じた方向に向かって出射する。表示部２０のサブピクセルの配列は、他の公知の配列であっても構わない。また、サブピクセルは、ＲＧＢの３色に限定されない。例えば、４色であっても構わない。
【００１４】
電圧制御部３０は、光学素子１０が備える電極に印加される電圧を制御する。例えば、電圧制御部３０は、光学素子１０が備える電極に印加される電圧の状態を示すモードの指定入力を受け付け、受け付けた入力が示すモードの設定を行う。見方を変えれば、モードとは、画像の表示の種類、または、光学素子１０の屈折率分布の種類を示すものと捉えることもできる。電圧制御部３０は、受け付けた入力が示すモードに設定されるように、光学素子１０が備える電極に印加する電圧を可変に制御する。
【００１５】
また、電圧制御部３０は、受け付けた入力が示すモードを特定可能なモード情報を表示制御部４０へ送る。モードの種類や数は任意に設定可能である。また、モードの設定方法は任意であり、例えば３次元画像の観察者の人数に応じてモードが自動的に切り替わる構成であってもよい。また、光学素子１０の全面に対してモードを一括で制御してもよいし、光学素子１０の領域ごとに異なるモードとなるよう電圧を制御する形態であっても構わない。例えば、あるモードが光学素子１０の特定の領域でレンズを形成し、その他の領域でレンズを形成しないモードであってもよい。
【００１６】
表示制御部４０は、画像（例えば視差画像等）を表示するように表示部２０を制御する。本実施形態では、表示制御部４０は、電圧制御部３０から渡されたモード情報を参照して、当該モード情報で特定されるモードで表示すべき画像（例えば視差画像）を取得し、その取得した画像を表示するように表示部２０を制御する。
【００１７】
図２は、本実施形態の光学素子１０の断面図である。図２は、図１の第２方向と垂直な平面による断面を表している。光学素子１０は、第１基板１０１と、第２基板１０２と、液晶層１３０と、複数の第１電極１１１ａ、１１１ｂ、１１１ｃ、１１１ｄと、複数の遮光部１２１ａ、１２１ｂと、第２電極１１２と、を備えている。
【００１８】
第２基板１０２は、第１基板１０１に対向し、第３方向に液晶層１３０の厚みが制御された位置に設けられる。液晶層１３０は、第１基板１０１と第２基板１０２との間に挟持される。
【００１９】
第１電極１１１ａ、１１１ｂ、１１１ｃ、１１１ｄは、第１基板１０１上の液晶層１３０側に配置され、液晶層１３０に電圧を印加する。以下では、特に区別する必要がない場合は、単に第１電極１１１という場合がある。図２は、４つの第１電極１１１を例示しているが、個数は４つに限られるものではない。
【００２０】
図３は、第１の実施形態の第１電極１１１の配置の一例を示す図である。図３に示すように、複数の第１電極１１１は、第１方向に並ぶように配置され、第２方向に延伸するように構成される。第１電極１１１は、第１方向に対して垂直方向（第２方向）以外に延伸するように構成してもよい。
【００２１】
遮光部１２１ａ、１２１ｂは、ディスクリネーションが生じる部分に入射する光線を遮光する。以下では、特に区別する必要がない場合は、単に遮光部１２１という場合がある。図２および図３は、２つの遮光部１２１を例示しているが、個数は２つに限られるものではない。
【００２２】
遮光部１２１は、例えば、第１電極１１１より透過率の低い部材により構成する。例えば、遮光部１２１は、表示装置の遮光パターンとして用いられるブラックマトリックスと同様に構成できる。図３に示すように、遮光部１２１は、第３方向から観察したときに第１電極１１１と重なる位置に、第３方向から観察したときの面積が第１電極１１１より小さくなるように形成される。
【００２３】
図２および図３では、第１電極１１１の上に遮光部１２１を設けた例を示している。遮光部１２１は、第１電極１１１と第１基板１０１との間に設けてもよい。
【００２４】
図２に戻り、第２電極１１２は、第２基板１０２の液晶層１３０側に、第１電極１１１に対向するように設けられる。第２電極１１２を設けることで、縦電界も作用させて屈折率分布を形成することができる。なお、第２電極１１２を備えないように構成してもよい。以下では、主に第２電極１１２を備えない構成を例に説明する。また、第２電極１１２は、１つの電極として形成するだけでなく、パターン化された複数の電極により形成してもよい。パターンは、第１方向に対して、垂直方向、水平方向、および、その他の傾きを持った方向のいずれの方向に構成してもよい。
【００２５】
次に、このように構成される光学素子１０の動作例について説明する。液晶層１３０は、第１電極１１１に印加される電圧に応じて屈折率分布が変化する。
【００２６】
第１基板１０１側から入射した光線は、屈折率分布に応じた方向へ向かって第２基板１０２から出射する。一軸性液晶の場合、液晶分子１３１の立ち上がる角度θｔｉｌｔに応じて、液晶分子１３１の配向方向と同一方向の偏光に対する屈折率は異なる。液晶に電界がかかると、電界の向きに沿って液晶が配向される。液晶分子１３１の立ち上がる角度θｔｉｌｔは、第３方向に対する液晶分子１３１の長軸方向の角度で表される。
【００２７】
電圧制御部３０は、所望の屈折率分布を得るための電圧を第１電極１１１に印加する。なお、本実施形態では、屈折率分布がレンズアレイである場合の液晶ＧＲＩＮレンズについて例示するが、レンズアレイに限られるものではない。
【００２８】
ポジ型液晶を用いた場合、レンズアレイ状の屈折率分布にするために、電圧制御部３０は、次のように電圧を制御する。すなわち、電圧制御部３０は、液晶ＧＲＩＮレンズの端部に対応する位置に配置された第１電極１１１（レンズ端電極とも言う。図２の例では、第１電極１１１ａ、１１１ｃ）に印加される電圧が最大となり、レンズ中心に近い第１電極１１１（図２の例では、第１電極１１１ｂ、１１１ｄ）ほど、印加される電圧が小さくなるように各第１電極１１１に印加する電圧を制御する。
【００２９】
高い電圧が印加されると、電界分布は左右に弓状に広がり易い。また、電界分布が左右に広がる境界部では液晶の配向乱れ（ディスクリネーション）が生じ易い。ディスクリネーションは、様々な方向に液晶が傾いている現象である。ディスクリネーションが生じた部分に光線が入射すると、光線方向を１方向に制御できず、迷光となって光線が出射する。この迷光が３Ｄ表示を行う際のクロストークの原因となる。
【００３０】
図４および図５は、ディスクリネーションの一例を説明するための概念図である。図４は、直線状のディスクリネーションの例を示す。領域４０１および４０２の部分でディスクリネーションが発生している。図５は、屈曲状のディスクリネーションの例を示す。図４および図５ともに、第１電極１１１の第１方向の中心位置（電極中心）に対して、第１方向側でディスクリネーションが発生している。
【００３１】
これは、液晶分子１３１の配向のプレチルト方向と逆向きに電界が作用する方向は、ディスクリネーションがより多く生じるためである。従って、遮光部１２１の中心（遮光中心）は、第１電極１１１の中心（電極中心）に対してプレチルト方向に近い方向にずらす。これにより、効率的に迷光を除去することができる。
【００３２】
図６は、液晶分子１３１のプレチルト方向（プレチルト角）を説明するための図である。図６の上部に示すように、電圧印加前は、液晶分子１３１は所定のプレチルト角で傾いている。図６の下部に示すように、電圧が印加されると、液晶ＧＲＩＮレンズアレイを構成するように液晶分子１３１が配向される。
【００３３】
図７は、第１電極１１１と遮光部１２１との位置関係を例示する図である。図７に示すように、遮光部１２１ａの第１方向の中心位置である遮光中心８０２が、第１電極１１１ａの中心である電極中心８０３より、プレチルト方向に近い方向（第１電極端８０１側）に位置するように、遮光部１２１ａが配置される。すなわち、図６および図７の例では、遮光中心８０２が、第１方向と第１方向の逆方向とのうち、プレチルト方向により近い方向である第１方向に、電極中心８０３からずれるように、遮光部１２１ａが配置される。
【００３４】
以上のように、高い電圧が印加される電極付近では縦電界と横電界の合成電界により、液晶のディスクリネーションが生じ易い。ディスクリネーションが生じた部分に光線が入射すると、多方向に光線が出射するため、迷光が増大する。第１の実施形態の光学装置および画像表示装置では、迷光が生じる箇所のみに遮光部を設ける。これにより、必要な部分のみの光線を遮光し、輝度低下を軽減すると共に、迷光の視認性を低減させることがきる。また、２Ｄ表示での色分離特性を低減させることができる。
【００３５】
（変形例１）
図８は、変形例１の光学素子における第１電極の配置の一例を示す図である。図８に示すように、本変形例の光学素子は、レンズ中心に近い電極（第１電極１１１−２ｂ）と、レンズ端電極（第１電極１１１−２ａ、１１１−２ｃ）との間に、レンズ端電極より低い電圧が印加される電極（第１電極１１１−２ｄ、１１１−２ｅ）を備える。
【００３６】
また、本変形例の光学素子は、高い電圧が印加される電極近傍ほど透過率が低くなる遮光部１２１を備える。図８では、第１電極１１１−２ａ、１１１−２ｃに対応する遮光部１２１−２ａ、１２１−２ｃのほうが、第１電極１１１−２ｄ、１１１−２ｅに対応する遮光部１２１−２ｄ、１２１−２ｅよりも、透過率が低くなる。図８のように構成すれば、より効率的に迷光を除去することが可能となる。
【００３７】
（変形例２）
図９は、変形例２の光学素子における第１電極の配置の一例を示す図である。本変形例の光学素子は、第１電極１１１の近傍に、第１方向に並ぶように設置される複数の遮光部１２１−３ａ、１２１−３ｂを備える。
【００３８】
レンズ端電極のレンズ境界付近では、横電界が左右の弓状に広がるため、ディスクリネーションが激しく生じる領域は２分割される。上述の図４および図５は、このようにディスクリネーションが生じる領域が２分割される例を示している。そこで、本変形例では、２分割されたディスクリネーションの部分に対応するように、第１方向に２つ並べて遮光部１２１−３ａ、１２１−３ｂが設けられる。図９のように構成すれば、より効率的に迷光を除去することが可能となる。
【００３９】
（変形例３）
液晶層１３０を光が伝播していく際、斜めの入射光では第２基板１０２に近い部分で迷光が生じる場合がある。この斜入射による迷光を除去するためには、第２基板１０２側にも遮光部を設けるとよい。そこで、変形例３の光学素子は、第２基板１０２側にも遮光部を備える。
【００４０】
図１０は、変形例３の光学素子における第１電極の配置の一例を示す図である。図１０に示すように、本変形例の光学素子は、第２基板１０２の液晶層１３０側に、遮光部１３１ａ、１３１ｂを備えている。これにより、斜め光による迷光を効率的に除去することが可能となる。
【００４１】
なお、図１０では、第１基板１０１側にも遮光部１２１ａを備える例が示されているが、第２基板１０２側のみに遮光部１３１を備えるように構成してもよい。図９に示すようにディスクリネーションが２分割される場合は、各部分にそれぞれ対応するように、第３方向から観察したときの遮光部１２１および遮光部１３１の第１方向の位置をずらして配置してもよい。
【００４２】
（第２の実施形態）
ディスクリネーションの割合は、電界の作用によりレンズ端から第１方向に沿ってレンズ中心に向かうほど低下する。そこで、第２の実施形態にかかる光学装置および画像表示装置は、第１方向に沿ってグラデーション状に透過率が変化する遮光部を備える。
【００４３】
図１１は、第２の実施形態の遮光部１２１−４ａの構成例を示す図である。遮光部１２１−４ａ以外の構成は、第１の実施形態と同様であるため説明を省略する。図１１に示すように、本実施形態の光学素子は、透過率が連続的または段階的に変化する遮光部１２１−４ａを備える。例えば、遮光部１２１−４ａは、レンズ端から第１方向に沿ってレンズ中心に向かうほど、透過率が低くなるように構成される。
【００４４】
これにより、ディスクリネーションの発生する割合に応じて効率よく遮光し、輝度を向上させることができる。また電圧が印加されない状態でも遮光部の視認性を低下させることができる。
【００４５】
（第３の実施形態）
第３の実施形態では、ドット状に形成され、第２方向に沿って配置される複数の遮光部を設ける。図１２は、第３の実施形態の遮光部１２１−５ａ、１２１−５ｂの構成例を示す図である。遮光部１２１−５ａ、１２１−５ｂ以外の構成は、第１の実施形態と同様であるため説明を省略する。
【００４６】
図１２のような遮光部１２１−５を備えることにより、電圧印加時は効率よく光を遮光しつつ、電圧非印加時は遮光パターン（遮光部）の視認性および光線の分離度を低下させることができる。
【００４７】
また、例えば電圧を高電圧から低電圧に変化させる電圧の駆動方法の場合、屈曲状のディスクリネーションが生じ易い。この場合、屈曲状のディスクリネーションに対応したドット状の遮光部を設けることで、さらに光利用効率を向上させることができる。
【００４８】
（変形例４）
図１３は、変形例４の実施形態の遮光部１２１−６ａ〜１２１−６ｄの構成例を示す図である。本変形例では、第１電極１１１ｄ、１１１ｅが、第１電極１１１ａおよび１１１ｂの間に配置され、第１電極１１１ｆ、１１１ｇが、第１電極１１１ｂおよび１１１ｃの間に配置される。そして、遮光部１２１−６ａ、１２１−６ｂは、図１２と同様に形成される。
【００４９】
一方、本変形例では、レンズ端電極（第１電極１１１ａ、１１１ｃ）のみでなく、レンズ端からレンズ中心にずれた位置に配置される電極（第１電極１１１ｄ、１１１ｆ）にも、ドット状の遮光部（遮光部１２１−６ｃ、１２１−６ｄ）が設けられる。この場合、ディスクリネーションの発生割合に応じて、レンズ中心側の電極（第１電極１１１ｄ、１１１ｆ）に対応する遮光部１２１−６ｃ、１２１−６ｄのドットの大きさを、レンズ端電極より小さくしてもよい。
【００５０】
このような構成により、第１電極１１１が多電極の場合や、２分割ディスクリネーションの場合に、効果的に迷光を低減できる。
【００５１】
（変形例５）
図１４は、変形例５の実施形態の遮光部１２１−７ａ、１２１−７ｂの構成例を示す図である。本変形例では、遮光部１２１−７ａ、１２１−７ｂを構成する各ドットの透過率を変化させる。図１４では、黒のドットが透過率の低いドットを表し、灰色のドットが透過率の高いドットを表している。なお、異なる透過率のドットは、例えばディスクリネーションの発生パターンに対応するように配置する。図１４では、２値の透過率のドットを含む例を示しているが、３値以上の異なる透過率のドットを含む遮光部を用いてもよい。
【００５２】
また、ドットごとの透過率は一定とし、第２方向に沿ったドットの密度が異なるように構成してもよい。さらに、ドットごとの透過率は一定とし、第２方向に沿ってドットの大きさが異なるように構成してもよい。
【００５３】
本変形例のように構成すれば、例えば図５に示すように屈曲状のディスクリネーションによる迷光を効果的に低減できる。
【００５４】
（変形例６）
図１５は、変形例６の実施形態の遮光部１２１−８ａ、１２１−８ｂの構成例を示す図である。本変形例では、遮光部１２１−８ａ、１２１−８ｂを構成する各ドットをジグザグに配置する。屈曲状のディスクリネーションは、図５に示すようにジグザグ状に発生する場合がある。本変形例によれば、このような場合のディスクリネーションによる迷光を効果的に低減できる。
【００５５】
（第４の実施形態）
第４の実施形態では、液晶層１３０のギャップ制御材を兼ねる遮光部を設ける。図１６は、第４の実施形態の遮光部１２１−９ａ、１２１−９ｂの構成例を示す図である。遮光部１２１−９ａ、１２１−９ｂ以外の構成は、第１の実施形態と同様であるため説明を省略する。
【００５６】
ギャップ制御材を兼ねる遮光部１２１−９ａ、１２１−９ｂは、例えば、黒色のビーズをレンズ端電極近辺に配置することにより構成する。なお、ビーズの代わりに、アクリル製または金属製のリブを立ててもよい。このような構成により、迷光をより低減し易くさせるとともに、液晶層１３０のギャップ制御を実現できる。
【００５７】
（第５の実施形態）
第５の実施形態では、電極の機能を兼ねる遮光部を設ける。図１７は、第５の実施形態の遮光部１２１−１０ａ、１２１−１０ｂの構成例を示す図である。図１７に示すように、第５の実施形態の光学素子は、第１電極１１１−３ａと遮光部１２１−１０ａ、および、第１電極１１１−３ｂと遮光部１２１−１０ｂにより、レンズ端電極を構成する。その他の構成は、第１の実施形態と同様であるため説明を省略する。
【００５８】
第１電極１１１−３ａ、１１１−３ｂは、例えば透明電極とする。遮光部１２１−１０ａ、１２１−１０ｂは、例えば、透明電極より透過率が低い金属電極とする。このような構成により、迷光を効率よく低減しつつ、電界の制御を容易化できる。
【００５９】
以上説明したとおり、第１から第５の実施形態によれば、高い光利用効率でディスクリネーション起因の迷光を低減させ、３Ｄクロストークを低減させることができる。また、２Ｄ表示において、光線分離特性が低減するため、２Ｄ画質を向上させることができる。
【００６０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６１】
１０  光学素子
２０  表示部
３０  電圧制御部
４０  表示制御部
１００  画像表示装置
１０１  第１基板
１０２  第２基板
１１１  第１電極
１１２  第２電極
１２１、１３１  遮光部
１３０  液晶層
【図１】
0005624575.tif 000002
【図２】
0005624575.tif 000003
【図３】
0005624575.tif 000004
【図４】
0005624575.tif 000005
【図５】
0005624575.tif 000006
【図６】
0005624575.tif 000007
【図７】
0005624575.tif 000008
【図８】
0005624575.tif 000009
【図９】
0005624575.tif 000010
【図１０】
0005624575.tif 000011
【図１１】
0005624575.tif 000012
【図１２】
0005624575.tif 000013
【図１３】
0005624575.tif 000014
【図１４】
0005624575.tif 000015
【図１５】
0005624575.tif 000016
【図１６】
0005624575.tif 000017
【図１７】
0005624575.tif 000018